(57)【要約】  【課題】  安定性、流動性に優れ、安価な、少量の水と混合しても急激な増粘を起こさない液体洗浄剤組成物を提供する。  【解決手段】  非イオン性界面活性剤を含有する光学的等方性の界面活性剤相（以下、界面活性剤相という）が、該界面活性剤相と非相溶性となる量の電解質塩を含有する水溶液相（以下、水溶液相という）中に、前記水溶液相に親和性を有するセグメント（イ）と前記界面活性剤相に親和性を有するセグメント（ロ）とを有するポリマーにより安定化された小滴として存在する乳化組成物と、該乳化組成物中に分散する無機ビルダー粒子とからなる、液体洗浄剤組成物。【選択図】  なし【特許請求の範囲】
【請求項１】
非イオン性界面活性剤を含有する光学的等方性の界面活性剤相（以下、界面活性剤相という）が、該界面活性剤相と非相溶性となる量の電解質塩を含有する水溶液相（以下、水溶液相という）中に、前記水溶液相に親和性を有するセグメント（イ）と前記界面活性剤相に親和性を有するセグメント（ロ）とを有するポリマー（以下、乳化剤ポリマーという）により安定化された小滴として存在する乳化組成物と、該乳化組成物中に分散する無機ビルダー粒子とからなる、液体洗浄剤組成物。
【請求項２】
液体洗浄剤組成物中、乳化組成物が、０．５Ｓ／ｍ以上の電導率を有する、請求項１記載の液体洗浄剤組成物。
【請求項３】
液体洗浄剤組成物中、非イオン性界面活性剤の含有量が１０質量％以上である請求項１又は２記載の液体洗浄剤組成物。
【請求項４】
乳化組成物中、水の含有量が２０質量％以上である請求項１〜３いずれかの項記載の液体洗浄剤組成物。
【請求項５】
乳化組成物中、電解質塩の含有量が、４〜３２質量％である、請求項１〜４いずれかの項記載の乳化組成物。
【請求項６】
さらに、水酸基含有水溶性有機溶剤を含有する請求項１〜５いずれかの項記載の液体洗浄剤組成物。
【請求項７】
乳化剤ポリマーが、ブロック型又はグラフト型ポリマーである、請求項１〜６いずれかの項記載の液体洗浄剤組成物。
【請求項８】
乳化剤ポリマーのセグメント（イ）が、カルボキシ基又はその塩を構成単位中に有するポリマー鎖であり、セグメント（ロ）が、非イオン性のポリマー鎖である、請求項１〜７いずれかの項記載の液体洗浄剤組成物。
【請求項９】
乳化剤ポリマーが、ポリアルキレングリコールとカルボキシ基又はその塩を有するビニルモノマーとのエステルと、カルボキシ基又はその塩を有するビニルモノマーとの共重合体である請求項８記載の液体洗浄剤組成物。
【請求項１０】
乳化剤ポリマーが、反応性不飽和基を有するポリアルキレングリコールエーテルと、カルボキシ基又はその塩を有するビニルモノマーとの共重合体である請求項８記載の液体洗浄剤組成物。
【請求項１１】
乳化剤ポリマーのセグメント（イ）が、カルボキシ基又はその塩を構成単位中に有するポリマー鎖であり、セグメント（ロ）が、炭素数９〜３０の炭化水素基である、請求項１〜６いずれかの項記載の液体洗浄剤組成物。
【請求項１２】
乳化剤ポリマーのセグメント（イ）とセグメント（ロ）が、質量比で３０：７０〜９５：５である、請求項１〜１１いずれかの項記載の液体洗浄剤組成物。
【請求項１３】
無機ビルダー粒子が、アルミノケイ酸塩化合物を含有する、請求項１〜１２いずれかの項記載の液体洗浄剤組成物。
【請求項１４】
電解質塩がアルカリ金属の炭酸塩である請求項１〜１３いずれかの項記載の液体洗浄剤組成物。
【請求項１５】
非イオン性界面活性剤が、ＨＬＢ９〜１６である、請求項１〜１４いずれかの項記載の液体洗浄剤組成物。
【請求項１６】
粘度（２５℃）が３０００ｍＰａ・ｓ以下である、請求項１〜１５いずれかの項記載の液体洗浄剤組成物。
【請求項１７】
前記乳化剤ポリマー、前記電解質塩、前記非イオン性界面活性剤及び水を含有する乳化組成物と、無機ビルダー粒子とを混合する工程を有する、請求項１〜１６いずれかの項記載の液体洗浄剤組成物の製法。
【発明の詳細な説明】
【技術分野】
【０００１】
本発明は、繊維製品の洗濯用洗剤、台所用洗剤、住居用洗剤、各種硬質表面等のクリーニング用洗浄剤、液体クレンザー等の幅広い分野で有用な液体洗浄剤組成物に関する。
【背景技術】
【０００２】
液体洗浄剤は一般に粉末洗浄剤に比べて水への溶解性に優れ、汚れた部分に直接塗布できるという利点を有する。
【０００３】
液体洗浄剤中には洗浄の補助効果を有する、アルカリ剤、カルシウム捕捉剤を配合することが望まれている。しかしながら、洗浄力が強い非イオン性界面活性剤を多く配合する液体洗浄剤中にアルカリ剤を高濃度に配合することは、相分離を引き起こすために困難である。濃厚なアルカリ液への非イオン性界面活性剤の溶解を助けるために、りんを含有するアニオン性界面活性剤を併せ用いる事が知られている。特許文献１には、アルカリ成分、ハイドロトロープ剤及びノニオン性界面活性剤を含有する液体洗浄剤を開示しているが、ハイドロトロープ剤を用いる方法では、洗浄力を得るのに充分な量のノニオン性界面活性剤を、アルカリ水に、配合することができなかった。
【０００４】
特許文献２には、界面活性剤のラメラ小滴とその凝集を解膠するポリマーを含有する液体洗浄剤組成物が開示されており、特許文献３には、電気的伝導率がＧ相組成物の形成により特徴づけられる第１最小値よりも多く、より高い界面活性剤脱溶解剤濃度での次の最小値よりも少ない量となるような界面活性剤脱溶解剤の濃度を有する、Ｍ相やＧ相を利用する界面活性剤組成物を開示しているが、これらは、界面活性剤の構造性を利用するものであるため、温度や配合する界面活性剤の組み合わせ等に影響を受け、自由な設計をすることが困難である。
【０００５】
また、特許文献４には、液体相、高分子分散剤と結晶性珪酸塩化合物を含む液体洗浄剤組成物が、特許文献５には、液体分散媒と固体分散質からなる液体洗浄剤組成物であって、固体分散質を特定のポリマーで安定化させたものが開示されているが、これらの液体相あるいは液体分散媒は乳化系を用いるものではなく、乳化組成物を分散媒とする場合の安定性の向上について特段の知見を与えるものではない。
【０００６】
【特許文献１】特開平１０−１６８４９３号公報
【特許文献２】特公平７−３７６３５号公報
【特許文献３】特開平５−２０９１９８号公報
【特許文献４】欧州特許出願公開第１６２２５５号明細書
【特許文献５】特開２００３−２７０８８号公報
【発明の開示】
【発明が解決しようとする課題】
【０００７】
本発明の課題は、洗浄力に優れ、取り扱い易い低粘度で、安定性が良好で、安価な、少量の水と混合しても増粘しない液体洗浄剤組成物を提供することにある。
【課題を解決するための手段】
【０００８】
本発明は、非イオン性界面活性剤を含有する光学的等方性の界面活性剤相（以下、界面活性剤相という）が、該界面活性剤相と非相溶性となる量の電解質塩を含有する水溶液相（以下、水溶液相という）中に、前記水溶液相に親和性を有するセグメント（イ）と前記界面活性剤相に親和性を有するセグメント（ロ）とを有するポリマー（以下、乳化剤ポリマーという）により安定化された小滴として存在する乳化組成物と、該乳化組成物中に分散する無機ビルダー粒子とからなる、液体洗浄剤組成物を提供する。
【０００９】
また、本発明は、前記乳化剤ポリマー、前記電解質塩、前記非イオン性界面活性剤及び水を含有する乳化組成物と、無機ビルダー粒子とを混合する工程を有する、上記本発明の液体洗浄剤組成物の製法を提供する。
【発明の効果】
【００１０】
本発明の液体洗浄剤組成物は、水溶液相に親和性を有するセグメント（イ）と界面活性剤相に親和性を有するセグメント（ロ）を有する乳化剤ポリマーによって、該ポリマー無しでは相分離する界面活性剤相が小滴として水溶液相中に安定に乳化され、更に無機ビルダーが分散安定化したものであり、容易に洗濯槽に注入され、迅速に洗浄用水に溶解される。本発明の液体洗浄剤組成物は、数μｍの比較的粒径の大きい無機ビルダー粒子も安定に分散でき、更に水を比較的多量に配合できるため、安価に製造できる。また、洗濯時の希釈過程でも増粘しない。
【発明を実施するための最良の形態】
【００１１】
［乳化組成物］
本発明に用いられる乳化組成物は、非イオン性界面活性剤を含有する光学的等方性の界面活性剤相が小滴として電解質塩を含有する水溶液相中に存在するものであり、水溶液相に親和性を有するセグメント（イ）と界面活性剤相に親和性を有するセグメント（ロ）とを有する乳化剤ポリマーにより安定化されたものである。
【００１２】
ここで、光学的等方性とは典型的にはクロス偏光間で顕微鏡を通して見たときに、一様に黒く、本質的に特徴のない連続体を示すことであり、Ｘ線または中性子回折プロットにおいて、ヘキサゴナル、ラメラ、球晶等の液晶の存在を示唆しないことである。界面活性剤相が光学的等方性であればよいが、乳化組成物が光学的等方性であってもよい。光学的等方性であることにより、構造体を形成せず、組成物は、低粘度で扱い易いものとなる。
【００１３】
液体洗浄剤組成物中、乳化組成物は、５０質量％以上が好ましく、６０質量％以上が更に好ましく、９５質量％以下が好ましく、９０質量％以下が更に好ましい。
【００１４】
（界面活性剤相）
界面活性剤相の小滴の粒径は、特に限定されるものではないが、例えば、光学顕微鏡等の測定により、０．１〜１０μｍが好ましく、０．１〜３．０μｍが更に好ましい。
【００１５】
乳化組成物中、界面活性剤相は、５〜８０質量％であることが好ましく、１０〜６０質量％であることが更に好ましく、２０〜６０質量％であることが特に好ましい。
【００１６】
界面活性剤相は、非イオン性界面活性剤を含有するものであるが、後述する水溶性有機溶剤、他のアニオン性、カチオン性、両性の界面活性剤、香料、水等を含有していてもよい。
【００１７】
界面活性剤相の全量を１００質量部とすると、界面活性剤相中の界面活性剤の含有量は、乳化状態の安定性の点から、５０〜１００質量部が好ましく、６０〜１００質量部が更に好ましく、７０〜１００質量部が特に好ましい。
【００１８】
界面活性剤相の全量を１００質量部とすると、界面活性剤相中の非イオン性界面活性剤の含有量は、乳化状態の安定性の点から、５０〜１００質量部が好ましく、７０〜１００質量部が更に好ましく、８０〜１００質量部が特に好ましい。
【００１９】
液体洗浄剤組成物中、及び／又は乳化組成物中、全界面活性剤量を１００質量部とすると、非イオン性界面活性剤の含有量は、乳化状態の安定性の点から、４０〜１００質量部が好ましく、５０〜１００質量部が更に好ましく、６０〜１００質量部が特に好ましく、８０〜１００質量部が最も好ましい。
【００２０】
全界面活性剤量は、洗浄力の面から、液体洗浄剤組成物中、及び／又は乳化組成物中、１０質量％以上が好ましく、１５質量％以上が更に好ましく、２１質量％以上が最も好ましく、乳化安定性の観点から５５質量％以下が好ましく、４５質量％以下が更に好ましい。
非イオン性界面活性剤量は、洗浄力の面から、液体洗浄剤組成物中、及び／又は乳化組成物中、１０質量％以上が好ましく、１５質量％以上が更に好ましく、２１質量％以上が最も好ましく、乳化安定性の観点から５０質量％以下が好ましく、４０質量％以下が更に好ましい。
【００２１】
非イオン性界面活性剤を洗浄剤組成物に配合して用いることは従来から行われており、洗浄力と安定性に優れる点で好適である。
【００２２】
非イオン性界面活性剤は、水溶液相中、乳化状態で安定であるためには、水溶液相の電導率、ｐＨ等によっても異なるが、ＤａｖｉｅｓのＨＬＢ（新版界面活性剤ハンドブック（工学図書株式会社版）平成３年１月２０日発行、２３５頁、式（５・１・１１））で、１６以下が好ましく、洗浄力の点から９以上が好ましい。
【００２３】
非イオン性界面活性剤として、例えば日本国特許庁公報「周知・慣用技術集（衣料用粉末洗剤）の３章の１」記載の公知の非イオン性界面活性剤を用いることができる。
【００２４】
本発明の液体洗浄剤組成物には、特にポリエチレンオキシド及び／又はポリプロピレンオキシド型の非イオン性界面活性剤を使用することが好ましく、とりわけ炭素数８〜１８を有する直鎖もしくは分岐鎖の第１級又は第２級アルコールにエチレンオキシド（以下、ＥＯと表記する）を平均５〜２０モル付加したポリオキシエチレンアルキルエーテル並びに前記アルコールにＥＯを平均５〜１５モル及びプロピレンオキシド（以下、ＰＯと表記する）を平均１〜５モル付加したポリオキシエチレンポリオキシプロピレンアルキルエーテル（但し、ＥＯとＰＯは、ランダム状に付加していてもブロック状に付加していてもよい。）から選択される１種以上を使用することが好ましい。
【００２５】
その他の非イオン性界面活性剤として、ポリオキシエチレンアルキルフェニルエーテル類、Ｎ−ポリオキシエチレンアルキルアミン、蔗糖脂肪酸エステル類、脂肪酸グリセリンモノエステル類、高級脂肪酸アルカノールアミド類、ポリオキシエチレン高級脂肪酸アルカノールアミド類、アミンオキサイド類、アルキルグリコシド類、アルキルグリセリルエーテル類及びＮ−アルキルグルコンアミド類等も使用することができる。
【００２６】
（水溶液相）
乳化組成物中、水溶液相は、好ましい粘度とするために、２０質量％以上が好ましく、３０質量％以上が更に好ましく、４０質量％以上が特に好ましく、９５質量％以下が好ましく、９０質量％以下が更に好ましく、８０質量％以下が特に好ましい。
【００２７】
液体洗浄剤組成物中、及び／又は乳化組成物中、水の含有量は、２０質量％以上が好ましく、３０質量％以上が更に好ましく、６０質量％以下が好ましく、５０質量％以下が更に好ましい。
【００２８】
本発明の液体洗浄剤組成物中、水溶液相には電解質塩を含有する。洗浄剤組成物中、電解質塩の含有量は、後述する乳化剤ポリマー非存在下では、組成物を、界面活性剤相と水溶液相を非相溶、即ち２相以上の上下の相に分離する量以上水溶液相中に溶解して存在する。
【００２９】
よって液体洗浄剤組成物中、及び／又は乳化組成物中、電解質塩の含有量は、界面活性剤相の組成や非イオン性界面活性剤の種類に依存するが、一般に４質量％以上が好ましく、５質量％以上が更に好ましく、６質量％以上が特に好ましく、５０質量％以下が好ましく、３２質量％以下が更に好ましく、２０質量％以下が特に好ましい。
【００３０】
電導率では、乳化組成物の電導率（２５℃）は、後述する測定により、０．５Ｓ／ｍ以上が好ましく、１．０Ｓ／ｍ以上が更に好ましい。
【００３１】
本発明の液体洗浄剤組成物に用いられる電解質塩として、有機塩、無機塩が挙げられ、無機塩が好ましく、アルカリ金属塩が好ましい。
【００３２】
本発明の液体洗浄剤組成物が、繊維製品の洗濯用洗剤、台所用洗剤、住居用洗剤に用いられる場合は、使用時のｐＨを抑えるためにアルカリ金属（ナトリウム、カリウム等）の炭酸塩を用いることが好ましい。
【００３３】
また、本発明の液体洗浄剤組成物が、各種硬質表面等のクリーニング用洗浄剤、液体クレンザー等に用いられる場合は、前記アルカリ金属の炭酸塩の他、アルカリ金属（ナトリウム、カリウム等）又はアルカリ土類金属の水酸化物を用いることも好ましい。
【００３４】
上記以外の無機塩としては典型金属または遷移金属のハロゲン化物、硫酸化物、リン酸化物等が好ましく挙げられる。例えば、塩化ナトリウム、塩化カリウム、塩化マグネシウム、塩化カルシウム、芒硝等が挙げられる。
これらの無機塩は、単独で用いても良く、２種以上混合して用いても良い。
【００３５】
更に、クエン酸、リンゴ酸、フマル酸、コハク酸、マレイン酸等の有機酸のアルカリ金属塩やアルカリ土類金属塩の有機塩を用いてもよい。
【００３６】
［乳化剤ポリマー］
本発明では、界面活性剤相が小滴として水溶液相中で安定に乳化存在するために、水溶液相に親和性を有するセグメント（イ）と界面活性剤相に親和性を有するセグメント（ロ）とを有するポリマー（以下、乳化剤ポリマーという）を用いる。乳化剤ポリマーは、乳化安定性の点から、水溶液相と界面活性剤相の両相に親和性を有するセグメントを有さない方が好ましい。
【００３７】
乳化剤ポリマーは、液体洗浄剤組成物中、及び／又は乳化組成物中、０．０１〜１０質量％が好ましく、０．１〜５質量％が更に好ましく、０．５〜５質量％が特に好ましい。
【００３８】
セグメント（イ）は、ポリマー鎖であることが好ましく、セグメント（ロ）は、ポリマー鎖又は有機基であることが好ましい。
【００３９】
ポリマー鎖の場合、親和性を有するとは、当該ポリマー鎖と本質的に同じ構成の重量平均分子量２０００〜５万程度のポリマー又は前記ポリマー鎖を有するモノマーが対象となる相中に溶解又は均一分散することをいい、具体的には、当該ポリマー又はモノマーを、対象となる相中に５質量％の濃度で混合し、６０℃で３０分間攪拌後、室温（２５℃）に戻し、静置１時間後に、目視において、沈殿や分離層が生じないことで、前記ポリマー又はモノマーが溶解又は均一分散することを確認できる。
【００４０】
有機基の場合、親和性を有するとは、有機基を有する任意のモノマーが対象となる相中に溶解又は均一分散することをいい、具体的には、当該モノマーを、対象となる相中に５質量％の濃度で混合し、６０℃で３０分間攪拌後、室温（２５℃）に戻し、静置１時間後に、目視において、沈殿や分離層が生じないことで、前記モノマーが溶解又は均一分散することを確認できる。
【００４１】
水溶液相と界面活性剤相は、本発明の組成から無機ビルダー粒子等の固体成分及び乳化剤ポリマーを除いて混合した時に、分離する上層（界面活性剤相）と下層（水溶液相）を用いることが出来る。
【００４２】
（セグメント（イ））
セグメント（イ）は、アニオン性基又はその塩を構成単位中に有するポリマー鎖であることが好ましく、カルボキシ基又はその塩を構成単位中に有するポリマー鎖であることが更に好ましく、スルホン酸基、リン酸基、ホスホン酸基又はこれらの塩が含まれていても良い。
【００４３】
このようなポリマー鎖は、カルボキシ基又はその塩を有するビニルモノマーの（共）重合体［（共）重合体は、単一重合体又は共重合体のことをいう］が好ましい。モノマーとしては例えば、（メタ）アクリル酸［（メタ）アクリル酸は、アクリル酸、メタクリル酸又はそれらの混合物のことをいう］及びその塩類、スチレンカルボン酸及びその塩類、マレイン酸系モノマー[無水マレイン酸、マレイン酸、マレイン酸モノエステル、並びにマレイン酸モノアミド又はそれらの２種類以上からなる混合物]及びその塩類並びにイタコン酸及びその塩類等であり、これらから選ばれる１種以上を用いることができる。
【００４４】
スルホン酸基又はその塩を有する部位には、スルホン酸基又はその塩を有するビニルモノマーの（共）重合体が好ましい。モノマーとしては例えば、２−（メタ）アクリロイルオキシエタンスルホン酸、２−（メタ）アクリロイルオキシプロパンスルホン酸、２−（メタ）アクリルアミド−２−アルキル（炭素数１〜４）プロパンスルホン酸、ビニルスルホン酸、スチレンスルホン酸等のスルホン酸モノマー等が挙げられ、これらから選ばれる１種以上を用いることができる。
リン酸基もしくはホスホン酸基又はその塩を有する部位には、リン酸基又はその塩を有するビニルモノマーの（共）重合体が好ましい。
【００４５】
モノマーとしては例えば、（メタ）アクリロイルオキシアルキル（炭素数１〜４）リン酸、ビニルホスホン酸等が挙げられる。
【００４６】
これらの塩類としては、金属、アンモニウム、総炭素数１〜２２のアルキルもしくはアルケニルアンモニウム、炭素数１〜２２のアルキル若しくはアルケニル置換ピリジニウム、総炭素数１〜２２のアルカノールアンモニウム、又は塩基性アミノ酸等が挙げられ、ナトリウム、カリウムの様なアルカリ金属塩が好ましい。
【００４７】
（セグメント（ロ））
セグメント（ロ）は、セグメント（ロ１）非イオン性のポリマー鎖、セグメント（ロ２）有機基が挙げられる。
【００４８】
セグメント（ロ１）
非イオン性のポリマー鎖としては、下記モノマー群（ロ１−１）〜（ロ１−８）から選ばれるモノマー由来の構成単位を有するもの、又は下記ポリマー（ロ１−９）〜（ロ１−１１）が好ましく挙げられる。
【００４９】
（ロ１−１）炭素数１〜２２の無置換もしくは置換の、飽和もしくは不飽和アルキル基またはアラルキル基を有するビニルエーテル類。例えば、メチルビニルエーテル、エチルビニルエーテル、4-ヒドロキシブチルビニルエーテル、フェニルビニルエーテル等が好ましい。
【００５０】
（ロ１−２）無置換、あるいは窒素上に炭素数１〜１２の飽和もしくは不飽和のアルキル基またはアラルキル基を有する置換（メタ）アクリルアミド類。例えば、（メタ）アクリルアミド、Ｎ-メチル（メタ）アクリルアミド、Ｎ，Ｎ−ジメチル（メタ）アクリルアミド、Ｎ-エチル（メタ）アクリルアミド、Ｎ-t-ブチル（メタ）アクリルアミド、（メタ）アクリロイルモルホリン、２−（Ｎ，Ｎ−ジメチルアミノ）エチル（メタ）アクリルアミド、３−（Ｎ，Ｎ−ジメチルアミノ）プロピル（メタ）アクリルアミド、２−ヒドロキシエチル（メタ）アクリルアミド、N-メチロール（メタ）アクリルアミド、N-ブトキシメチル（メタ）アクリルアミド等が好ましい。
【００５１】
（ロ１−３）Ｎ−ビニル脂肪族アミド類。例えば、Ｎ−ビニルピロリドン、Ｎ−ビニルアセトアミド、Ｎ−ビニルホルムアミド等が好ましい。
【００５２】
（ロ１−４）炭素数１〜２２の無置換もしくは置換の、飽和もしくは不飽和アルキル基またはアラルキル基を有する（メタ）アクリル酸エステル類。例えば、（メタ）アクリル酸メチル、（メタ）アクリル酸エチル、（メタ）アクリル酸２−ヒドロキシエチル、（メタ）アクリル酸２−（Ｎ、Ｎ−ジメチルアミノ）エチル、（メタ）アクリル酸２−メトキシエチル、ポリエチレングリコールモノ（メタ）アクリル酸エステル等が好ましい。
【００５３】
（ロ１−５）アルキレンオキサイド類。例えばエチレンオキサイド、プロピレンオキサイド等が好ましい。
【００５４】
（ロ１−６）環状イミノエーテル類。例えば２−メチル−２−オキサゾリン、２−フェニル−２−オキサゾリン等が好ましい。
【００５５】
（ロ１−７）スチレン類。例えば、スチレン、４−エチルスチレン、α−メチルスチレン等が好ましい。
【００５６】
（ロ１−８）ビニルエステル類。例えば、酢酸ビニル、カプロン酸ビニル等が好ましい。
【００５７】
（ロ１−９）２価アルコールと２価カルボン酸とから成るポリエステル類。例えば、ポリエチレングリコールとテレフタル酸、あるいは１，４−ブタンジオールとコハク酸の重縮合物等が好ましい。
【００５８】
（ロ１−１０）ポリアミド類。例えば、Ｎ−メチルバレロラクタムの開環重合物が好ましい。
【００５９】
（ロ１−１１）ポリウレタン類。例えば、ポリエチレングリコール、ヘキサメチレンジイソシアナート、及びＮ−メチル−ジエタノールアミンまたは１，４−ブタンジオールの重付加物等が好ましい。
【００６０】
これらの中では、アルキレンオキサイドを重合して得られるアルキレンオキシ基を構成単位とするポリマー鎖が特に好ましい。
【００６１】
アルキレンオキシ基を構成単位とするポリマー鎖の場合、ポリマー鎖（ロ）において、アルキレンオキシ基は、エチレンオキシ基及び／又はプロピレンオキシ基が好ましく、エチレンオキシ基とプロピレンオキシ基は、それぞれホモポリマーでも、ブロック、ランダムのコポリマーでもよい。ポリマー鎖（ロ）の平均重合度は４０〜２００が好ましく、液体洗浄剤組成物の安定性から８０〜１５０が更に好ましい。アルキレンオキシ基の末端は、限定されず、水酸基を有していてもよく、炭化水素基を有して、例えば、メトキシ基、エトキシ基、フェノキシ基等のエーテル結合となっていてもよい。炭化水素基としては、好ましくは炭素数１〜３０、更に好ましくは１〜１２のアルキル基である。特に好ましくは１〜３のアルキル基である。炭化水素基が９〜３０の場合は、セグメント（ロ１）は後述するセグメント（ロ２）を兼ねることができると考えられる。
【００６２】
セグメント（ロ２）有機基
有機基としては、好ましくは炭素数９〜３０、更に好ましくは炭素数１２〜２２の炭化水素基であり、特に好ましくはこれら炭素数を有する直鎖若しくは分岐鎖のアルキル基又はアルケニル基である。例えば、ノニル基、デシル基、ラウリル基、トリデシル基、ミリスチル基、セチル基、ステアリル基、イソステアリル基、オレイル基、ベヘニル基等である。このような炭化水素基は、当該炭化水素基を有するモノマーにより導入される。かかるモノマーとしては以下のもの挙げられる。
【００６３】
（ロ２−１）炭素数９〜３０、好ましくは炭素数１２〜２２の飽和もしくは不飽和アルキル基またはアラルキル基を有する（メタ）アクリル酸エステル。例えば、（メタ）アクリル酸デシル、（メタ）アクリル酸ラウリル、（メタ）アクリル酸ミリスチル、（メタ）アクリル酸セチル、（メタ）アクリル酸ステアリル、（メタ）アクリル酸ベヘニル、ステアリルオキシポリエチレングリコールモノメタクリル酸エステル等が挙げられる。
【００６４】
（ロ２−２）窒素に結合した飽和もしくは不飽和の炭素数９〜３０、好ましくは炭素数１２〜２２のアルキル基またはアラルキル基を、１又は２有する置換（メタ）アクリルアミド。例えば、Ｎ-ラウリル（メタ）アクリルアミド、Ｎ-ジオクチル（メタ）アクリルアミド等が挙げられる。
【００６５】
（ロ２−３）炭素数９〜３０、好ましくは炭素数１２〜２２の飽和もしくは不飽和アルキル基またはアラルキル基を有するビニルエーテル。例えば、ラウリルビニルエーテル、ミリスチルビニルエーテル、パルミチルビニルエーテル、ステアリルビニルエーテル等が挙げられる。
【００６６】
本発明において、乳化剤ポリマーは、セグメント（イ）が、カルボキシ基又はその塩を構成単位中に有するポリマー鎖であり、セグメント（ロ）が、非イオン性のポリマー鎖又は炭素数９〜３０の炭化水素基であることが好ましく、セグメント（イ）が、カルボキシ基又はその塩を構成単位中に有するポリマー鎖であり、セグメント（ロ）が、アルキレンオキシ基を構成単位とするポリマー鎖を有するポリマーが、特に好ましい。
【００６７】
セグメント（イ）とセグメント（ロ）の質量比は、（イ）／（ロ）＝３０／７０〜９５／５が好ましく、３５／６５〜９０／１０が更に好ましく、４０／６０〜９０／１０が特に好ましい。この範囲内では、乳化安定性がよい。
【００６８】
これらの中で、セグメント（イ）とセグメント（ロ１）を用いる場合、セグメント（イ）とセグメント（ロ１）の質量比は、（イ）／（ロ１）＝３０／７０〜９０／１０が好ましく、３５／６５〜８０／２０が更に好ましく、３５／６５〜７５／２５が特に好ましい。
【００６９】
セグメント（イ）とセグメント（ロ２）を用いる場合、セグメント（イ）とセグメント（ロ２）の質量比は、（イ）／（ロ２）＝７０／３０〜９５／５が好ましく、７０／３０〜９３／７が更に好ましい。
【００７０】
セグメント（イ）、セグメント（ロ）を有する乳化剤ポリマーは、好ましくはブロック型又はグラフト型ポリマーであり、更に好ましくはグラフト型ポリマーである。
【００７１】
ブロック型又はグラフト型ポリマーの合成法は特に限定されず、公知の方法を選択できる。なかでも、液体洗浄剤組成物を構成する液体の一種類以上を溶媒として、ポリマー鎖中にアゾ基を有するマクロアゾ開始剤を用いてビニル系モノマー等を重合する方法（マクロアゾ開始剤法）、ポリマー鎖の一端に重合性基を有する化合物を使用する方法（マクロモノマー法）、ポリマーの存在下にモノマーを改めてラジカル重合し、新たに生成するポリマー鎖が、連鎖移動反応によって予め共存させたポリマー鎖に連結するようにする方法（連鎖移動法）及びポリマー鎖中の官能基にもう１種のポリマー末端を反応させてグラフト化させる方法が好ましい。
【００７２】
本発明に用いられる乳化剤ポリマーの好ましい例として、下記のものが挙げられ、１．、６．が特に好ましい。
【００７３】
１．ポリアルキレングリコールとカルボキシ基又はその塩を有するビニルモノマーとのエステル（好ましくはモノエステル）と、カルボキシ基又はその塩を有するビニルモノマーとの共重合体
ポリアルキレングリコール（メタ）アクリル酸エステルとカルボキシ基又はその塩を有するビニルモノマーとの共重合体が更に好ましく、ポリアルキレングリコール（メタ）アクリル酸エステルと（メタ）アクリル酸又はその塩との共重合体が特に好ましい。例えば、ポリエチレングリコールモノ（メタ）アクリル酸エステルと（メタ）アクリル酸又はその塩との共重合体、ポリ（エチレングリコール／プロピレングリコール）モノ（メタ）アクリル酸エステルと（メタ）アクリル酸又はその塩との共重合体等が、好ましく挙げられる。
【００７４】
２．反応性不飽和基（ラジカル重合可能な不飽和基）を有するポリアルキレングリコールエーテルとカルボキシ基又はその塩を有するビニルモノマーとの共重合体
反応性不飽和基を有するポリアルキレングリコールエーテルと（メタ）アクリル酸又はその塩及び／又はマレイン酸系モノマーとの共重合体が好ましい。反応性不飽和基は、ラジカル重合可能な不飽和基であり、例えば、ポリエチレングリコールアリルエーテルと（メタ）アクリル酸（又はその塩）及び／又はマレイン酸（又はその塩）との共重合体が挙げられる。
【００７５】
３．ポリアルキレングリコールにカルボキシ基を有するモノマー又はその塩をグラフトした共重合体
例えば、ポリエチレングリコール、ポリプロピレングリコール又はポリ（エチレングリコール／プロピレングリコール）中でアクリル酸とマレイン酸又はそれらの塩とをラジカル重合して得られるグラフトポリマーが好ましく挙げられる。
【００７６】
４．ポリアルキレングリコールマクロアゾ開始剤を使用してカルボキシ基又はその塩を有するビニルモノマーの（共）重合体
好ましくは（メタ）アクリル酸又はその塩をラジカル重合して得られるブロックポリマーが挙げられる。
【００７７】
５．カルボキシ基又はその塩を有するビニルモノマーの重合体と、末端に水酸基を有するポリアルキレングリコールを脱水反応によって連結して得られるグラフトポリマー
好ましくは、ポリ（メタ）アクリル酸又はその塩と、末端に水酸基を有するポリエチレングリコールを脱水反応によって連結して得られるグラフトポリマーが挙げられる。
【００７８】
６．カルボキシ基又はその塩を有するビニルモノマーと、炭素数９〜３０の炭化水素基を有するビニルモノマーとの共重合体
（メタ）アクリル酸又はその塩と炭素数９〜３０のアルキル基を有する（メタ）アクリル酸エステルとの共重合体が、好ましく挙げられる。
【００７９】
その他、本発明の効果を損なわない範囲で、これら１．〜６．で示したモノマーに、共重合しうるモノマーを共重合してもよい。例えば次のようなモノマーが挙げられる。
【００８０】
（１ａ）スルホン酸基を有するビニルモノマー類。例えばスチレンスルホン酸および／又はその塩、２−アクリルアミド−２−メチルプロパンスルホン酸および／又はその塩、（メタ）アリルスルホン酸および／又はその塩等が好ましい。
【００８１】
（２ａ）カチオン基を有するビニルモノマー類。例えば塩化２−（（メタ）アクリロイルオキシ）エチルトリメチルアンモニウム、塩化ビニルベンジルトリメチルアンモニウム、エチル硫酸２−（（メタ）アクリロイルオキシ）エチルジメチルエチルアンモニウム、塩化３−（（メタ）アクリルアミド）プロピルトリメチルアンモニウム、塩化ジアリルジメチルアンモニウム等が好ましい。
【００８２】
（３ａ）炭素数１〜２２の無置換もしくは置換の、飽和もしくは不飽和アルキル基またはアラルキル基を有するビニルエーテル類。例えば、メチルビニルエーテル、エチルビニルエーテル、4-ヒドロキシブチルビニルエーテル、フェニルビニルエーテル等が好ましい。
【００８３】
（４ａ）無置換、あるいは窒素上に炭素数１〜１２の飽和もしくは不飽和のアルキル基またはアラルキル基を有する置換（メタ）アクリルアミド類。例えば、（メタ）アクリルアミド、Ｎ−メチル（メタ）アクリルアミド、Ｎ，Ｎ−ジメチル（メタ）アクリルアミド、Ｎ−エチル（メタ）アクリルアミド、Ｎ−ｔ−ブチル（メタ）アクリルアミド、（メタ）アクリロイルモルホリン、２−（Ｎ，Ｎ−ジメチルアミノ）エチル（メタ）アクリルアミド、３−（Ｎ，Ｎ−ジメチルアミノ）プロピル（メタ）アクリルアミド、２−ヒドロキシエチル（メタ）アクリルアミド、Ｎ−メチロール（メタ）アクリルアミド、Ｎ−ブトキシメチル（メタ）アクリルアミド等が好ましい。
【００８４】
（５ａ）Ｎ−ビニル脂肪族アミド類。例えば、Ｎ−ビニルピロリドン、Ｎ−ビニルアセトアミド、Ｎ−ビニルホルムアミド等が好ましい。
【００８５】
（６ａ）スチレン類。例えば、スチレン、４−エチルスチレン、α−メチルスチレン等が好ましい。
【００８６】
（７ａ）ビニルエステル類。例えば、酢酸ビニル、カプロン酸ビニル等が好ましい。
【００８７】
本発明に用いられる乳化剤ポリマーの重量平均分子量は、後述する測定法において、好ましくは１００万以下、さらに好ましくは１０００〜５０万、特に好ましくは５０００〜３０万である。
【００８８】
［無機ビルダー粒子］
本発明の液体洗浄剤組成物中、無機ビルダー粒子の比率は、合計で５質量％以上が好ましく、１０質量％以上が更に好ましく、５０質量％以下が好ましく、４０質量％以下が更に好ましい。この範囲内では、洗浄力が高く、分散安定性も優れている。無機ビルダー粒子は、アルミノケイ酸塩化合物であることが好ましい。
【００８９】
アルミノケイ酸塩化合物としては、一般式（１）で表されるアルミノケイ酸塩化合物の１種類以上が好ましい。
(Ｍ1pＭ2qＭ3rＯ)u・(Ｍ4sＭ5tＯ)v・(Ａｌ2Ｏ3)w・(ＳｉＯ2)    （１）
[式中、Ｍ1、Ｍ2、Ｍ3はそれぞれＮａ、Ｋ又はＨを示し、Ｍ4及びＭ5はそれぞれＣａ又はＭｇを示す。ｐ、ｑ及びｒはそれぞれ０〜２の数（但しｐ＋ｑ＋ｒ＝２）、ｓ及びｔはそれぞれ０〜１の数（但しｓ＋ｔ＝１）、ｕは０〜１、好ましくは０．１〜０．５の数、ｖは０〜１、好ましくは０〜０．１の数、ｗは０〜０．６、好ましくは０．１〜０．５の数を示す。]
【００９０】
このようなアルミノケイ酸塩化合物として、例えば、一般的に洗浄剤に配合されている各種ゼオライトのタイプＡ、Ｘ、Ｐが挙げられ、特にタイプＡが好適である。ゼオライトは高いカチオン交換能を有するため非常に優れた洗浄剤用ビルダーであり、これを配合すると、洗浄剤組成物の洗浄力が大きく高められるため好ましい。このようなゼオライトには、例えば東洋曹達（株）から市販されているトヨビルダーが挙げられる。また後述する本発明の洗浄剤組成物の製造工程において微粉砕しやすく、それによって分散安定性が高められる点から、特開２００１−１３９３２２号公報の方法で製造された微粒子ゼオライトを用いることも好ましい。一般に市販ゼオライトは約２０％程度の水分を含有している。この水分が、組成物に含有させたい水分量を上回る場合には、このような市販ゼオライトを４５０〜６００℃で焼成して水分を除去した後、使用することが好ましい。
【００９１】
無機ビルダー粒子の平均粒子径は、２０μｍ以下が好ましく、１０μｍ以下が更に好ましく、０．１μｍ以上が好ましく、１μｍ以上が更に好ましい。ここで平均粒子径とは、堀場製作所製レーザ回折／散乱式粒度分布測定装置ＬＡ−９２０（相対屈折率：１．２、温度：２０℃、水中）で測定した、体積基準粒子径の平均粒子径のことであり、以後断りのない限りこれを意味する。
【００９２】
［水酸基含有水溶性有機溶剤］
水酸基含有水溶性有機溶剤は、界面活性剤相の光学的等方性を安定にし、界面活性剤相が小滴として水溶液相中で安定に分散するために用いられ、更に乳化剤ポリマーを製造する際、重合溶剤の一部として用い、乳化剤ポリマーの分子量を調整する役割を担わせることもできる。
【００９３】
水酸基含有水溶性有機溶剤は特に限定されないが、一般式（Ｉ）及び／又は（II）及び／又は（III）及び／又は（IV）にて表記されるものが好ましい。
ＨＯ[ＣＨ2ＣＨ2Ｏ]a[ＣＨ2-b(ＣＨ3)bＣＨ2-c(ＣＨ3)cＯ]dＨ        （Ｉ）
ＨＯ[ＣＨ2ＣＨ2Ｏ]a[ＣＨ2-b(ＣＨ3)bＣＨ2-c(ＣＨ3)cＯ]d−Ｒ    （II）
ＣＨ3-e(ＯＨ)eＣＨ2-f(ＯＨ)fＣＨ3-g(ＯＨ)g                      （III）
ＣＨ3-h(ＯＨ)hＣＨ2-i(ＯＨ)iＣＨ2-j(ＯＨ)jＣＨ3-k(ＯＨ)k          （IV）
（式中、ａは平均値として１〜１２０、ｄは平均値として０〜３０の数を示す。但し、ａ＞ｄである。ｂ，ｃ，ｅ，ｆ，ｇ，ｈ，ｉ，ｊ，ｋは、それぞれ０又は１の整数を表す。但し、ｂ＋ｃ＝１、ｅ＋ｆ＋ｇ＝２又は３、ｈ＋ｉ＋ｊ＋ｋ＝２である。Ｒはフェニル基又は炭素数１〜８の脂肪族の炭化水素基である。）
【００９４】
具体的には、ブタンジオール、ペンタンジオール、ヘキサンジオール、グリセリン、トリメチロールプロパン、ペンタエリスリトール等の多価アルコール類、多価アルコール類のモノ−、ジ−又はトリ−アルキルエーテル、エチレングリコール、プロピレングリコール、ポリエチレングリコール、ポリプロピレングリコール、エチレンオキサイド／プロピレンオキサイド共重合体等のグリコール類、グリコール類のモノアルキルエーテル、モノアリールエーテル特にモノフェニルエーテル等が挙げられる。これら水酸基含有水溶性有機溶剤は１種又は２種以上の混合物として配合される。
【００９５】
本発明の液体洗浄剤組成物中、及び／又は乳化組成物中、水酸基含有水溶性有機溶剤の比率は０〜４５質量％が好ましく、２〜３０質量％が更に好ましく、３〜２０質量％が特に好ましい。
【００９６】
［その他の成分］
（１）アニオン性界面活性剤
本発明の液体洗浄剤組成物には、例えば日本国特許庁公報「周知・慣用技術集（衣料用粉末洗剤）の３章の１」記載の公知のアニオン性界面活性剤を使用することができる。リン酸塩型及び／又はカルボン酸塩型及び／又はスルホン酸塩型及び／又は硫酸塩型のアニオン性界面活性剤に関しては、好適に配合される。
具体的には、モノアルキル又はアルケニルリン酸塩、脂肪酸塩、アルキル硫酸塩、ポリオキシアルキレンアルキル硫酸塩、及びアルキルベンゼンスルホン酸塩から選ばれる１種以上のアニオン性界面活性剤が好ましい。
【００９７】
これらのアニオン性界面活性剤の対イオンとして、ナトリウム、カリウム、マグネシウム、カルシウム、エタノールアミン類等のアミンがプロトン化された陽イオン、第４級アンモニウム塩及びそれらの混合物等が挙げられる。アニオン性界面活性剤を配合する場合は、酸型で配合し、別途アルカリ（例えばエタノールアミン等）を添加するような方法を用いてもよい。
【００９８】
本発明の液体洗浄剤組成物中、及び／又は乳化組成物中、アニオン性界面活性剤の比率は界面活性剤相が光学的異方性にならない量が好適であり、０〜１０質量％が好ましく、０〜５質量％が更に好ましく、０〜３質量％が特に好ましい。
【００９９】
（２）カチオン性界面活性剤
本発明の液体洗浄剤組成物には、例えば日本国特許庁公報「周知・慣用技術集（衣料用粉末洗剤）の３章の１」記載の公知のカチオン性界面活性剤を使用することができ、例えばベンザルコニウム型等の４級アンモニウム塩が好適に配合される。
【０１００】
（３）双性界面活性剤
本発明の液体洗浄剤組成物には、例えば日本国特許庁公報「周知・慣用技術集（衣料用粉末洗剤）の３章の１」記載の公知の双性界面活性剤を使用することができ、例えばアルキルベタイン型双性界面活性剤等が好適に配合される。
【０１０１】
（４）有機ビルダー
本発明の液体洗浄剤組成物は、液体乳化組成物に溶解する又は／及び溶解しない公知の有機ビルダーも含有することが出来る。具体的には、クエン酸、こはく酸、マロン酸等の多価カルボン酸、アスパラギン酸、グルタミン酸等のアミノ酸、ニトリロ三酢酸、エチレンジアミン四酢酸、下記一般式（２）で表わされるメチルグリシン二酢酸三ナトリウム、アスパラギン酸−Ｎ、Ｎ−二酢酸四ナトリウム、セリン二酢酸三ナトリウム、グルタミン酸二酢酸四ナトリウム、エチルグリシン二酢酸三ナトリウム等のアミノポリ酢酸、ポリアクリル酸、アクリル酸／マレイン酸共重合体等の高分子多価カルボン酸が挙げられ、これらはアルカリ金属塩、アンモニウム塩、置換アンモニウム塩等の塩の形態が好ましい。有機ビルダーの比率は液体洗浄剤組成物中０〜１５．０質量％が好ましく、更に１．０〜１０．０質量％が好ましく、特に２．０〜７．０質量％が好ましい。
【０１０２】
【化１】
2004285339.tif 000002
【０１０３】
〔式中、Ｒ1は−(ＣＨ2)n−Ａであり、ＡはＨ、ＯＨ、ＣＯＯＭであり、ＭはＨ、Ｎａ、Ｋ、ＮＨ4であり、ｎは０〜５の数を示す。〕
【０１０４】
（５）その他の有機溶剤
その他、前記した水酸基含有水溶性有機溶剤以外の有機溶剤として、アルキルアミン、脂肪族アミン、脂肪族又は芳香族カルボン酸のアミド又はアルキルエステル類、低級アルキルエステル、ケトン、アルデヒド、グリセリド等が配合される。液体乳化組成物中、その他の有機溶剤の比率は、洗浄力及び洗浄剤組成物のコンパクト化の点から、０〜５０質量％が好ましく、更に０〜２０質量％、特に０〜１０質量％が好ましい。
【０１０５】
（６）漂白剤
本発明の液体洗浄剤組成物は、漂白剤を含有することも好ましい。漂白剤は、無機過酸素漂白剤、又は無機過酸素漂白剤と漂白活性化剤を組み合わせて用いることができる。
【０１０６】
無機過酸素漂白剤として、アルカリ金属の過ホウ酸塩、過炭酸塩、過ケイ酸塩、過リン酸塩が挙げられ、特に過ホウ酸ナトリウム、過炭酸ナトリウム等が好ましい。また製品の分散安定性を高める上で、特開平１１−２７９５９３号公報第２頁第２欄１３〜４４行に挙げられるような、カルボン酸系ポリマー及び／又は多価カルボン酸により被覆されている過炭酸塩を用いることができる。
【０１０７】
無機過酸素漂白剤と漂白活性化剤とを組み合わせて用いる場合、漂白活性化剤は通常過酸を形成する反応性アシル基を１つ以上有する有機化合物であり、無機過酸素漂白剤単独で使用するよりも、漂白作用がより有効となる。漂白活性化剤の構造は特に限定されないが、一般式（３）で表されるものが好ましい。
【０１０８】
【化２】
2004285339.tif 000003
【０１０９】
［式中、Ｒ2は炭素数１〜１５の直鎖又は分岐鎖のアルキル基を示し、ＸはＣＯＯＭ又はＳＯ3Ｍ（ここで、Ｍは水素原子、アルカリ金属原子又はアルカリ土類金属原子）を示す。］
【０１１０】
一般式（３）で表される漂白活性化剤は、一般式（３）において、Ｒ2が炭素数７〜１１の直鎖又は分岐鎖のアルキル基であり、ＸがＣＯＯＨ又はＳＯ3Ｎaであるものが好ましい。このような漂白活性化剤として、ラウロイルオキシベンゼンスルホン酸ナトリウム、デカノイルオキシベンゼンスルホン酸ナトリウム、オクタノイルオキシベンゼンスルホン酸ナトリウム、ラウロイルオキシ安息香酸、デカノイルオキシ安息香酸、オクタノイルオキシ安息香酸等を挙げることが出来る。
【０１１１】
その他一般の洗浄剤に用いられる、公知のケイ酸塩、メタケイ酸塩等の洗剤用ビルダーを任意に配合することが出来る。これらはアルカリ金属塩であることが好ましい。例えばトリポリ燐酸塩、ピロ燐酸塩等の燐酸塩、アミノトリ（メチレンホスホン酸）、１−ヒドロキシエチリデン−１，１−ジホスホン酸、エチレンジアミンテトラ（メチレンホスホン酸）、ジエチレントリアミンペンタ（メチレンホスホン酸）又はそれらの塩も用いることができる。また、ポリエチレングリコール、カルボキシメチルセルロース等のポリマー、ポリビニルピロリドン等の色移り防止剤、プロテアーゼ、セルラーゼ、リパーゼ等の酵素、塩化カルシウム、ギ酸、ホウ酸等の酵素安定化剤、ｐ−トルエンスルホン酸、ｍ−キシレンスルホン酸、安息香酸等の相調整剤、シリコーン等の消泡剤、ブチルヒドロキシトルエン、ジスチレン化クレゾール、亜硫酸ナトリウム、亜硫酸水素ナトリウム等の酸化防止剤、香料成分、染料、蛍光染料、顔料等を必要に応じて含んでも良い。
【０１１２】
［液体洗浄剤組成物］
本発明の液体洗浄剤組成物は、界面活性剤相が小滴として水溶液相中に安定に乳化分散した乳化組成物と、該乳化組成物中に分散する無機ビルダー粒子からなるものであり、乳化剤ポリマーにより安定化されたものである。従って、乳化剤ポリマーの少なくとも一部は、界面活性剤相と水溶液相の界面に存在すると考えられる。
【０１１３】
液体洗浄剤組成物の電解質塩の含有量を調節することで、界面活性剤相と水溶液相が、乳化剤ポリマー非存在下では、非相溶の状態にすることができる。
また、界面活性剤相よりも水溶液相の質量が多いことが好ましい。
【０１１４】
本発明の洗浄剤組成物中、無機ビルダー粒子は、安定に分散しているが、これは、無機ビルダー粒子と小滴として安定化された界面活性剤相との相互作用により分散安定化するものと推察される。更に、直接的又は間接的に乳化剤ポリマーも無機ビルダー粒子の安定化に寄与しているものと考えられる。
【０１１５】
また、本発明の液体洗浄剤組成物において、無機ビルダー粒子と乳化剤ポリマーの質量比は、無機ビルダー粒子の分散安定性から、乳化剤ポリマー／無機ビルダー粒子＝１／８０〜１／４が好ましく、１／６０〜１／５が更に好ましく、１／４０〜１／８が特に好ましい。
【０１１６】
本発明の液体洗浄剤組成物は、作業性を向上するために、後述の実施例の方法により測定される粘度が２５℃において３０００ｍＰａ・ｓ以下であることが好ましく、２０００ｍＰａ・ｓ以下であることがさらに好ましい。液体洗浄剤組成物の飛散を防止し、無機ビルダー粒子の安定性を高めるために、１０ｍＰａ・ｓ以上が好ましく、５０ｍＰａ・ｓ以上が更に好ましい。
【０１１７】
本発明の液体洗浄剤組成物は、洗浄性を高めるためにアルカリ性であることが好ましく、ｐＨ（２０℃）は、後述の実施例の測定方法により、７〜１４が好ましく、９〜１３が更に好ましい。
【０１１８】
本発明の液体洗浄剤組成物は、安定な分散性を有する。安定な分散性とは、本発明の液体洗浄剤組成物を製造後、室温（２５℃）で１週間、好ましくは１ヶ月保存した後の体積分離率が５％以下であることが好ましい。体積分離率は、固体分散質が沈降分離して上部に生じる透明な液相又は半透明な部分の体積が、組成物全体積に占める割合のことである。具体的には、後述の実施例の方法により測定する。
【０１１９】
［製造方法］
本発明の液体洗浄剤組成物の製造には、全成分を混合、攪拌する方法を用いても良いが、均一、安定な液体洗浄剤組成物を得るため、次の方法を用いることが好ましい。即ち、乳化剤ポリマー、電解質塩、非イオン性界面活性剤、水、好ましくは水溶性有機溶剤及び他の界面活性剤等を混合した乳化液と、無機ビルダー粒子を混合する製法である。更に好ましくは、乳化剤ポリマー、電解質塩、水及び好ましくは水溶性有機溶剤混合液中に、非イオン性界面活性剤を添加し、攪拌混合することで乳化液とし、更に無機ビルダー粒子を混合する方法が好ましい。
【０１２０】
無機ビルダー粒子を混合する際、予め水系スラリーにて湿式粉砕してから混合しても良い。水系スラリーとは、水を主成分とする液体乳化組成物中に、無機ビルダー粒子を含有するものである。
【０１２１】
攪拌、混合する方法としては、公知の方法が用いられるが、高攪拌力のホモミキサー、ディスパー、ホモジナイザー等を用いることが好ましい。更に、液体ジェット相互作用室を有する粉砕機（例えばマイクロフライディックス社製マイクロフライダイザー）、超音波分散器などを用いても良い。
【０１２２】
水系スラリーにおける湿式粉砕法としては、ストーンミル、コロイドミル、ケーディーミル、スラッシャーミル、ハイスピードディスパーサー、メディアミル、ロールミル、ニーダー、エクストルーダー、液体ジェット相互作用室を有する粉砕機（例えばマイクロフライディックス社製マイクロフライダイザー）、超音波分散器などが挙げられるが、とりわけメディアを用いる湿式粉砕、例えばサンドミル、サンドグラインダー、湿式振動ミル、アトライター等を用いる方法が粉砕効率の点から好適である。メディアとしてチタニア、ジルコニア等、公知の材質を適用することができる。
【実施例】
【０１２３】
％は、特に指定しない限り、質量％の略である。
分子量の測定はゲル浸透型液体クロマトグラフィー（ＧＰＣ）によって行い、合成例１〜３、７、９のポリマーに関しては次の条件を用いた。溶離液及び添加塩類はいずれも液体クロマトグラフィー用のグレードの試薬から調製した。
【０１２４】
カラム：東ソー（株）製  Ｇ４０００ＰＷＸＬ＋Ｇ２５００ＰＷＸＬの２本、
溶離液：０．２Ｍリン酸緩衝液（ｐＨ６．９）／アセトニトリル＝９／１（容量比）、
検出器：示差屈折率計、
温度：４０℃、
標準：ポリエチレングリコール、ポリエチレンオキシド、
測定濃度：５ｍｇ／ｍｌ、
注入量：１００μｌ
【０１２５】
合成例４〜６、８のポリマーに関しては次の条件を用いた。
カラム：東ソー（株）製  α−M  ＋  α−Mの２本、
溶離液：６０ｍｍｏｌ／Ｌ燐酸、５０ｍｍｏｌ／ＬのＬｉＢｒ／ＤＭＦ、
検出器：示差屈折率計、
温度：４０℃、
標準：ポリエチレングリコール、ポリエチレンオキシド、
測定濃度：５ｍｇ／ｍｌ、
注入量：１００μｌ
【０１２６】
合成例１：合成ポリマー溶液（１）［ポリエチレングリコール（ＥＯ付加モル数９０）モノメタクリル酸エステル／メタクリル酸＝５０／５０（質量比）共重合体］の合成例
イオン交換水１２２ｇ、プロピレングリコール１２２ｇを窒素雰囲気下で８０℃に昇温したところに、ポリエチレングリコール（ＥＯ付加モル数９０）モノメタクリル酸エステル（ＮＫ−エステルＭ−９００Ｇ、新中村化学（株）製）１５０ｇ、メタクリル酸１５０ｇ、２−メルカプトエタノール４．２ｇをイオン交換水５０ｇとプロピレングリコール１００ｇの混合液に溶解したものと、過硫酸ナトリウム４．２ｇ、３５％過酸化水素水１．７ｇをイオン交換水５０ｇに溶解したものとを、８０〜８５℃に保ちながら、別々に２時間かけて滴下し、その後８０℃に保ちながらさらに４時間撹拌を続けた。これを冷却して合成ポリマー溶液（１）を得た。得られた合成ポリマーのＧＰＣ測定の結果、重量平均分子量は４．６万（ポリエチレングリコール換算）であった。
【０１２７】
合成例２：合成ポリマー溶液（２）［ポリエチレングリコール（ＥＯ付加モル数９０）モノメタクリル酸エステル／メタクリル酸／スチレンスルホン酸ナトリウム＝５０／３０／２０（質量比）共重合体］の合成例
プロピレングリコール１４．１ｇを窒素雰囲気下で８０℃に昇温したところに、ポリエチレングリコール（ＥＯ付加モル数９０）モノメタクリル酸エステル（ＮＫ−エステルＭ−９００Ｇ、新中村化学（株）製）５０ｇ、メタクリル酸３０ｇ、２−メルカプトエタノール０．５ｇ、スチレンスルホン酸ナトリウム２０ｇをイオン交換水４８．９ｇとプロピレングリコール６０ｇの混合液に溶解したものと、過硫酸ナトリウム１．１ｇ、３５％過酸化水素水０．４４ｇをイオン交換水２５ｇに溶解したものとを、８０〜８５℃に保ちながら、別々に２時間かけて滴下し、その後８０℃に保ちながらさらに４時間撹拌を続けた。これを冷却して合成ポリマー溶液（２）を得た。得られた合成ポリマーのＧＰＣ測定の結果、重量平均分子量は８．７万（ポリエチレングリコール換算）であった。
【０１２８】
合成例３：合成ポリマー溶液（３）［ポリエチレングリコール（ＥＯ付加モル数９０）モノメタクリル酸エステル／メタクリル酸＝４３／５７（質量比）共重合体］の合成例
イオン交換水１６．６ｇ、プロピレングリコール１６．６ｇを窒素雰囲気下で８０℃に昇温したところに、ポリエチレングリコール（ＥＯ付加モル数９０）モノメタクリル酸エステル（ＮＫ−エステルＭ−９００Ｇ、新中村化学（株）製）６７．９ｇ、メタクリル酸９０ｇ、２−メルカプトエタノール２．５ｇをイオン交換水５０ｇとプロピレングリコール１００ｇの混合液に溶解したものと、過硫酸ナトリウム２．５ｇ、３５％過酸化水素水１．０ｇをイオン交換水５０ｇに溶解したものとを、８０〜８５℃に保ちながら、別々に２時間かけて滴下し、その後８０℃に保ちながらさらに４時間撹拌を続けた。これを冷却して合成ポリマー溶液（３）を得た。得られた合成ポリマーのＧＰＣ測定の結果、重量平均分子量は４．１万（ポリエチレングリコール換算）であった。
【０１２９】
合成例４：合成ポリマー分散液（４）［ラウリルメタクリレート／アクリル酸＝１２．５／８７．５（質量比）共重合体］の合成例
イオン交換水７．１ｇ、イソプロピルアルコール２．４ｇを窒素雰囲気下で８０℃に昇温したところに、ラウリルメタクリレート（花王（株）製エキセパールＬ−ＭＡ）１５．４ｇ、アクリル酸１３５ｇをイオン交換水１７３ｇとイソプロピルアルコール２００ｇの混合液に分散したものと、過硫酸ナトリウム２．０ｇをイオン交換水４９ｇに溶解したものとを、８０〜８５℃に保ちながら、別々に３時間かけて滴下し、その後８０℃に保ちながらさらに４時間撹拌を続けた。次にエバポレーターにてイソプロピルアルコールとイオン交換水の混合液を留去したところ、固形分濃度４５．０％の合成ポリマー分散液（４）を得た。得られた合成ポリマーのＧＰＣ測定の結果、重量平均分子量は１．０万（ポリエチレングリコール換算）であった。
【０１３０】
合成例５：合成ポリマー分散液（５）［２−エチルヘキシルオキシポリプロピレングリコール（ＰＯ付加モル数６）ポリエチレングリコール（ＥＯ付加モル数８）モノメタクリル酸エステル／メタクリル酸＝３０／７０（質量比）共重合体］の合成例
イオン交換水３１．２ｇ、イソプロピルアルコール３１．２ｇを窒素雰囲気下で８０℃に昇温したところに、２−エチルヘキシルオキシポリプロピレングリコール（ＰＯ付加モル数６）ポリエチレングリコール（ＥＯ付加モル数８）モノメタクリル酸エステル（日本油脂（株）製ブレンマー５０ＰＯＥＰ８００Ｂ）４２．９ｇ、アクリル酸１００ｇ、２−メルカプトエタノール２．８３ｇをプロピレングリコール５１．８ｇに溶解したものと、過硫酸ナトリウム５．７６ｇをイオン交換水５１．８ｇに溶解したものとを、８０〜８５℃に保ちながら、別々に２時間かけて滴下し、その後８０℃に保ちながらさらに１時間撹拌を続けた。これを冷却して合成ポリマー溶液（５）を得た。得られた合成ポリマーのＧＰＣ測定の結果、重量平均分子量は１．４万（ポリエチレングリコール換算）であった。
【０１３１】
合成例６：合成ポリマー分散液（６）［ステアリルオキシポリエチレングリコール（ＥＯ付加モル数３０）モノメタクリル酸エステル／メタクリル酸＝４５／５５（質量比）共重合体］の合成例
イオン交換水１８．５ｇ、イソプロピルアルコール１９．０ｇを窒素雰囲気下で８０℃に昇温したところに、ステアリルオキシポリエチレングリコール（ＥＯ付加モル数３０）モノメタクリル酸エステル（日本油脂（株）製ブレンマーＰＳＥ１３００）４０．９ｇ、メタクリル酸５０ｇ、２−メルカプトエタノール０．９５ｇをプロピレングリコール７０ｇに溶解したものと、過硫酸ナトリウム２．８９ｇをイオン交換水２６ｇに溶解したものとを、８０〜８５℃に保ちながら、別々に２時間かけて滴下し、その後８０℃に保ちながらさらに１時間撹拌を続けた。これを冷却して合成ポリマー溶液（６）を得た。得られた合成ポリマーのＧＰＣ測定の結果、重量平均分子量は１．５万（ポリエチレングリコール換算）であった。
【０１３２】
合成例７：ポリメタクリル酸水溶液の合成
２−プロパノール８１０ｇとイオン交換水５４０ｇとの混合物を窒素雰囲気下で８３℃に昇温し撹拌しているところに、メタクリル酸４４３．７ｇをイオン交換水８１０ｇに溶解したものと、過硫酸ナトリウム９８．２ｇをイオン交換水５３０ｇに溶解したものとを、それぞれ２時間かけて同時に滴下した。滴下中も撹拌液の内温を８１〜８３℃に保ち、滴下後は８１〜８３℃で５時間撹拌を続けた。その後大気圧下でさらに加熱して２−プロパノールを留出させ、蒸気温度が上昇しなくなる（１０１℃付近）まで留出を行ってから室温に戻し、ポリメタクリル酸を３３％含む水溶液１６４０ｇを得た。得られた合成ポリマーのＧＰＣ測定の結果、重量平均分子量は４．２万（ポリエチレングリコール換算）であった。
【０１３３】
合成例８：ポリエチレングリコール（ＥＯ付加モル数９４）アリルエーテルの合成例
ＥＯやＰＯの付加重合反応は、ステンレススチール製のオートクレーブ中で行った。触媒に用いた水酸化カリウムは工業用グレードの板状ペレットであり、純度約９６質量％（他は主に水分）である。
【０１３４】
オートクレーブ内にエチレングリコールモノアリルエーテル（日本乳化剤（株）製）  ３５０質量部、および水酸化カリウム３．９質量部を入れ、系内の空気を窒素に置換してから密封し、攪拌しながら加熱し、内温を１３０℃、内圧を０．０８ＭＰａに保った。ここに、ＥＯの導入を開始し、内温が１５０℃を越えず、内圧が０．４ＭＰａを超えないように徐々に導入した。発熱による内温の上昇が見られなくなってから、内温を１５０℃、内圧を０．４ＭＰａに保ってＥＯの導入を続け、最終的に５７３６質量部のＥＯをおよそ４．５時間掛けて導入した。続いて内温を１５０℃に保って約３０分間攪拌を続けた。その後内温を８０℃に下げて生成物を抜き出し、室温に冷やして白色ワックス状固体を得た。ＧＰＣ測定を行ったところ、重量平均分子量は２５３０であった。
【０１３５】
合成例９：合成ポリマー溶液（７）［ポリエチレングリコール（ＥＯ付加モル数９４）アリルエーテル／アクリル酸＝６０／４０（質量比）共重合体］の合成例
合成例８で得られたポリエチレングリコール（ＥＯ付加モル数９４）アリルエーテル７２ｇ、イオン交換水３０ｇ、プロピレングリコール７０ｇを窒素雰囲気下で８０℃に昇温したところに、アクリル酸４８ｇをイオン交換水３７ｇに溶解したものと、過硫酸ナトリウム４．８８ｇ、３５％過酸化水素水３．９９ｇをイオン交換水３０ｇに溶解したものとを、８０〜８５℃に保ちながら、別々に３０分かけて滴下し、その後８０℃に保ちながらさらに３時間撹拌を続けた。これを冷却して合成ポリマー溶液（７）を得た。得られた合成ポリマーのＧＰＣ測定の結果、重量平均分子量は６．１万（ポリエチレングリコール換算）であった。
【０１３６】
（１）液体洗浄剤組成物の調製
実施例１
第一工程：３００ｍＬビーカーに合成ポリマー溶液（１）２．３ｇ、ジエチレングリコールモノブチルエーテル３８ｇ、プロピレングリコール８．８ｇ、イオン交換水９．９ｇを入れ、攪拌して均一溶液とした。そこに炭酸ナトリウム１４ｇをイオン交換水９４ｇに溶解させた液を混合攪拌し、均一溶液を得た。
【０１３７】
第二工程：第一工程で得られた均一溶液に、非イオン性界面活性剤（１）３５．５ｇ、非イオン性界面活性剤（２）１１．８ｇ、アニオン性界面活性剤１．８ｇを混合した均一溶液を投入し、懸濁液を得た。
【０１３８】
第三工程：第二工程で得られた懸濁液を特殊機化工業（株）製ホモミキサー（ＴＫロボミックスｆモデル、ＴＫホモミクサーＭＡＲＫ II ２．５型攪拌部、以下同じ）を用いて乳化した。条件は９０００ｒｐｍ、５分間で行った。得られた乳化液は均一であり、Ｂ型粘度計（ロータ：Ｎｏ．２、回転数：６０ｒｐｍ）で測定したところ、７０ｍＰａ・ｓであった。（東亜電波工業（株）製デジタル電導率計ＣＭ−４０Ｖを用いて電導率（２５℃）を測定したところ、１．５Ｓ／ｍであった。）
【０１３９】
第四工程：第三工程で得られた乳化液にゼオライト（１）３２．４ｇを投入し、ホモミキサーを用いて攪拌（６０００ｒｐｍ、５分間）して液体洗浄剤組成物を得た。この液体洗浄剤組成物を一部採取して、水で希釈し、粒径を粒度分布測定装置（堀場製作所製、ＬＡ−９１０、相対屈折率：１．２、温度２０℃）により測定したところ、平均粒径は４．５μｍであった。更にＢ型粘度計（ロータ：Ｎｏ．２、回転数：３０ｒｐｍ）で測定したところ、７４０ｍＰａ・ｓであった。
【０１４０】
実施例２
第一工程：３００ｍＬビーカーに合成ポリマー溶液（１）４．４ｇ、プロピレングリコール９．２ｇを入れ、攪拌して均一溶液とした。そこに炭酸カリウム３９ｇをイオン交換水７７ｇに溶解させた液を混合攪拌し、均一溶液を得た。
【０１４１】
第二工程：第一工程で得られた均一溶液に、非イオン性界面活性剤（１）４７ｇ、非イオン性界面活性剤（２）１８ｇ、アニオン性界面活性剤２．６ｇを混合した均一溶液を投入し、懸濁液を得た。
【０１４２】
第三工程：第二工程で得られた懸濁液を特殊機化工業（株）製ホモミキサーを用いて乳化した。条件は９０００ｒｐｍ、５分間で行った。得られた乳化液は均一であり、Ｂ型粘度計（ロータ：Ｎｏ．２、回転数：６０ｒｐｍ）で測定したところ、６８ｍＰａ・ｓであった。（東亜電波工業（株）製デジタル電導率計ＣＭ−４０Ｖを用いて電導率（２５℃）を測定したところ、３．４Ｓ／ｍであった。）
【０１４３】
第四工程：第三工程で得られた乳化液にゼオライト（１）５２ｇを投入し、ホモミキサーを用いて攪拌（８０００ｒｐｍ、５分間）して液体洗浄剤組成物を得た。この液体洗浄剤組成物を一部採取して、水で希釈し、粒径を粒度分布測定装置（堀場製作所製、ＬＡ−９１０、相対屈折率：１．２、温度２０℃）により測定したところ、平均粒径は４．５μｍであった。更にＢ型粘度計（ロータ：Ｎｏ．２、回転数：３０ｒｐｍ）で測定したところ、４６０ｍＰａ・ｓであった。
【０１４４】
実施例３、４、５、６、７、８、９
表１に示す配合量で、実施例２と同様の手順で液体洗浄剤組成物を得た。
尚、実施例８の第三工程において、第二工程で得られた懸濁液を特殊機化工業（株）製ホモミキサーを用いて乳化（３０００ｒｐｍ、１０分間）し、得られた乳化液の光学顕微鏡写真から、界面活性剤相が乳化していることが示された。その様子を図１に示す。図１中、円形に見えるのが界面活性剤相であり、該界面活性剤相をとりまいて水溶液相が連続して存在することが確認できる。
【０１４５】
（２）評価
得られた液体洗浄剤組成物について以下の評価を行った。結果を表１に示す。
【０１４６】
（体積分離率）
目盛り付きガラス製沈降管に、深さ３０ｃｍとなるように液体洗浄剤組成物を満たして密栓し、各サンプルを２５℃の室内で１ヶ月間静置保存した。保存終了後のサンプルの透明液相と固体分散相の境界線を目視で判断し、相分離して上層部に生じた透明液体相の厚みｘ（ｃｍ）を測定した。体積分離率ｙ（％）を、次式（Ｖ）により求め、以下の基準で評価した。
ｙ＝（ｘ／３０）×１００        （Ｖ）
○：体積分離率５％未満
△：体積分離率５％以上１０％未満
×：体積分離率１０％以上
【０１４７】
（粘度の測定方法）
２００ｍＬビーカーに液体洗浄剤組成物２００ｇを満たし、東京計器（株）製Ｂ型粘度計により、Ｎｏ．２（又は３）のローターを粘度に応じて６〜６０ｒ／ｍｉｎの速度条件（２５℃）において測定した。
【０１４８】
（ｐＨの測定方法）
２００ｍＬビーカーに液体洗浄剤組成物２００ｇを満たし、株式会社堀場製作所製ｐＨメータＤ−２４を用いて計測（２０℃）した。実施例８のｐＨは、１１であった。
【０１４９】
（増粘試験）
５０ｍＬのサンプル管に液体洗浄剤組成物４０ｇを満たし、イオン交換水２ｇを加え、蓋を閉め手で振とうした。その後、東京計器（株）製Ｂ型粘度計により、Ｎｏ．２又は３のローターを用いて６０ｒ／ｍｉｎの速度条件（２５℃）において粘度を測定した。イオン交換水をその後、２ｇずつ１０ｇになるまで添加し、毎回同様の測定を行った。実施例２及び８についてこの増粘試験をした結果、急激な粘度変化はみられず、試験後の粘度は、試験前の粘度と比較して、同等以下であった。
【０１５０】
比較例１
合成例（４）で得られた合成ポリマー分散液（４）４．４４ｇとイオン交換水６９．５６ｇを混合した液に四ホウ酸ナトリウム十水和物７ｇ、グリセロール１０ｇ、炭酸ナトリウム１２ｇを投入して攪拌混合した。得られた白濁液に、非イオン性界面活性剤（１）３０．８ｇ、アルキル（炭素数１２）ベンゼンスルホン酸ナトリウム（花王（株）製ネオペレックスＮｏ．６）４１ｇ、オレイン酸ナトリウム１５ｇ、ラウリン酸ナトリウム１０．２ｇを加えて、ホモミキサーを用いて攪拌（８０００ｒｐｍ、５分間）し、乳化液を得た。乳化液は、増粘し、ゲル状となった。
【０１５１】
比較例２
実施例２において、ポリマー溶液を添加しないことを除いて、同様に配合した。第三工程終了後、３０分静置した所、上下に分離した。
【０１５２】
【表１】
2004285339.tif 000004
【０１５３】
＊ 非イオン性界面活性剤（１）：エマルゲン１０８(花王（株）製）
＊ 非イオン性界面活性剤（２）：エマルゲンＬＳ−１０６(花王（株）製）
＊ 水溶性有機溶剤（１）：ジエチレングリコールモノブチルエーテル
＊ 水溶性有機溶剤（２）：プロピレングリコール
＊ アニオン性界面活性剤：アルキルの炭素数１０〜１４の脂肪酸
＊ 合成ポリマー溶液（１）：合成例１で合成したポリマー溶液
＊ 合成ポリマー溶液（２）：合成例２で合成したポリマー溶液
＊ 合成ポリマー溶液（３）：合成例３で合成したポリマー溶液
＊ 合成ポリマー分散液（４）：合成例４で合成したポリマー分散液
＊ 合成ポリマー分散液（５）：合成例５で合成したポリマー分散液
＊ 合成ポリマー分散液（６）：合成例６で合成したポリマー分散液
＊ 合成ポリマー溶液（７）：合成例９で合成したポリマー分散液
＊ ゼオライト：ゼオビルダー社製Ａ型ゼオライト
＊ 蛍光染料：チバスペシャリティーケミカルズ社製チノパールＣＢＳ−Ｘ
【０１５４】
また、特開２００３−２７０８８号公報の合成例１と同様にポリエチレングリコールとポリアクリル酸（４０／６０（質量比））のブロックポリマーを合成し、乳化剤ポリマーとして用いることもできる。
【０１５５】
表１中、実施例の液体洗浄剤組成物は、繊維製品用として好適であり、何れも繊維製品、特に衣料の通常の使用により付着する有機汚れや無機汚れに対する充分な洗浄力を有する。また、実施例２と比較例１について以下の偏光顕微鏡による観察を行った。
【０１５６】
（偏光顕微鏡観察）
実施例２の第三工程で得られた乳化液を下記の方法で偏光顕微鏡観察したところ、光学的等方性であることが確認された。比較例１で得られた乳化液に関して同様に偏光顕微鏡観察したところ、光学的異方性を有することが確認された。
【０１５７】
偏光顕微鏡観察は、スライドグラスに液滴を１滴垂らし、カバーグラスでカバーした。株式会社ニコン製偏光顕微鏡ＭＩＣＲＯＰＨＯＴ−ＳＡを用いて行った（２５℃）。
【０１５８】
［各セグメントの親和性の試験］
＜参考例：ポリマー鎖の親和性の試験＞
前記実施例４、５で用いた乳化剤ポリマーについて、ポリマー鎖の水溶性相と界面活性剤相に対する親和性を確認した。すなわち、実施例４、５の組成物から、当該乳化剤ポリマー及び無機ビルダー粒子を除いた組成で組成物を調製した。該組成物は、電解質塩を含有する水溶液相（下層）と非イオン性界面活性剤相を含有する界面活性剤相（上層）に分離した。
【０１５９】
実施例４、５のポリマーについて、ポリマー鎖と本質的に同じ構成の下記の重量平均分子量のポリマー又はポリマー鎖を有するモノマーを、５質量％の濃度で対象となる相中に混合し、６０℃で３０分間攪拌後、室温（２５℃）に戻し、静置１時間後の溶解性によってポリマー鎖の親和性を確認した。表２中、○は溶解、×は不溶を意味する。
【０１６０】
【表２】
2004285339.tif 000005
【０１６１】
＊ ポリアクリル酸：和光純薬工業（株）製、試薬１級、平均分子量２５０００
＊ ポリメタクリル酸溶液：合成例７で得られたポリメタクリル酸水溶液
＊ ポリエチレングリコール（ＥＯ付加モル数９０）モノメタクリル酸エステル：新中村化学（株）製ＮＫ−エステルＭ−９００Ｇ
＊ ラウリルメタクリレート：花王（株）製エキセパールＬ−ＭＡ
＊ 水溶液相、界面活性剤相：ポリマー溶液とゼオライトを除く実施例４と同様の組成で各成分を混合し、２４時間放置して２層に分離させて得た。上層が非イオン性界面活性剤を含有する界面活性剤相、下層が電解質塩を含有する水溶液相である。
【図面の簡単な説明】
【０１６２】
【図１】実施例８で得られた乳化液の光学顕微鏡写真である。
【図１】
2004285339.tif 000006